(57)【要約】【課題】特に人間の頭部の耳、鼻、咽喉、口腔などの患部に光を照射して診察したり、治療したりするときに有効な医用照明装置を提供すること。【解決手段】診察椅子１２における支頭部１３の側部に突出して光源支持部材４３を設け、この光源支持部材４３に、ＬＥＤ光源２５を有する照明灯２０を設け、前記照明灯２０は、容器２３の底部に放熱板２４を設け、この放熱板２４にＬＥＤ光源２５を搭載し、前記容器２３の収納部にハウジング２１を嵌め込み、このハウジング２１の発光面に拡散板２７を設け、前記容器２３は、熱伝導性を有する底の浅い円形容器であって、前記ハウジング２１は、シリコーンゴムからなり、このハウジング２１を前記容器２３に固定的に取り付ける。【選択図】図１
2015041483.tif 000002
【特許請求の範囲】
【請求項１】
診察椅子における支頭部の側部に突出して光源支持部材を設け、この光源支持部材に、ＬＥＤ光源を有する照明灯を設けたことを特徴とする医用照明装置。
【請求項２】
照明灯は、容器の底部に放熱板を設け、この放熱板にＬＥＤ光源を搭載し、前記容器の収納部にハウジングを嵌め込み、このハウジングの発光面に拡散板を設け、前記容器は、熱伝導性を有する底の浅い円形容器であって、前記ハウジングは、シリコーンゴムからなり、このハウジングを前記容器に固定的に取り付けたことを特徴とする請求項１記載の医用照明装置。
【請求項３】
診察椅子における支頭部の側部から突出する光源支持部材は、一端部が前記支頭部の背部に軸により回動可能に連結され、前記支頭部の側部から突出する前記光源支持部材の他端部に、照明灯を取り付けたことを特徴とする請求項２記載の医用照明装置。
【請求項４】
光源支持部材は、第１アームと第２アームとが相互に遊嵌した進退自在の中空筒体からなることを特徴とする請求項３記載の医用照明装置。
【請求項５】
光源支持部材と照明灯の連結部をピンで回動自在に連結したことを特徴とする請求項３又４記載の医用照明装置。
【請求項６】
診察椅子の支頭部と背もたれとの間を、支頭部保持体を介して連結して、支頭部の回動と高さを調節可能にしたことを特徴とする請求項１、２、３、４又５記載の医用照明装置。
【請求項７】
ハウジングは、中空の球状体で、底部にＬＥＤ光源を搭載し、底部と反対側の開口端にレンズを取り付け、容器は、内面が球面受け座をなし、この球面受け座にハウジングの摺動面を全方向に回動自在に嵌合したことを特徴とする請求項１、２、３、４、５又６記載の医用照明装置。
【発明の詳細な説明】
【技術分野】
【０００１】
本発明は、耳鼻咽喉科、歯科などにおいて、医師が診察や治療を行う際に、診察椅子に腰かけた患者の体内の奥深い患部を反射鏡で反射して光を照射するときに使用される医用照明装置に関するものである。
【背景技術】
【０００２】
耳鼻咽喉科で、耳孔の奥、鼻孔の奥、喉の奥などの患部に光を照射し、また、歯科で奥歯に光を照射し、診察したり、治療したりするとき、図１０に示すように、医師１１が額から後頭部に巻きつける額帯１５に反射鏡１６を取り付け、光源１７からの光線を反射して患部を照射する。この光源１７は、複数本のアームを関節で連結し、全方向に移動できるように構成されており、患者１０は、診察椅子１２に座って背中を背もたれ１８に密着し、頭部１４を支頭部１３に密着したとき、患部の位置によって最も光線が通るように医師１１は、光源１７の位置や向きを変え、反射鏡１６ののぞき孔１９から覗き込んで治療や診察をする（特許文献１）。
【０００３】
また、額帯の前額部の反射鏡の焦点位置に、光源としての電球を内蔵させたものも知られている（特許文献２）。
【先行技術文献】
【特許文献】
【０００４】
【特許文献１】特開２００１−３２７５５９号公報
【特許文献２】実用新案登録第３０３１５７４号公報
【発明の概要】
【発明が解決しようとする課題】
【０００５】
特許文献１に記載の発明は、医師１１は、のぞき孔１９から患部を覗き込みながら患部の位置によって最も光線が通るように光源１７の位置や向きを変えて調整するが、この調整は、光源１７が患者１０の背後にあるので、患者１０が立ち上がるときに光源１７に頭部１４をぶつける恐れがあること、医師１１が片手で光源１７を支持しているアームを伸縮したり、角度を変えたりすることによって光線の調整行うため、片手が使用できなくなり、両手で行う治療や診察に支障をきたしていたこと、光源１７が主として白熱電球を使用していたため、患者１０，医師１１共に光源１７の発熱で熱いこと、光源１７を支持する支持台、複数本のアーム、アーム同士を連結する関節部分などの装置が大型になり、高価なものとなっていたこと等の問題があった。
【０００６】
特許文献２に記載の発明は、前額部の反射鏡の焦点位置に小さな電球を内蔵させたものであるため、光量不足になり易く、また、電源として乾電池を使用する場合、その乾電池を頭部に載せるように収納すると、医師１１に取って作業の邪魔になり、更に、電池切れなどが発生する。大型の電源から電力を供給すると、電池の容量不足や電池切れなどはないが、電源と電球を接続するコードが医師１１の作業の邪魔になる等の問題があった。
【０００７】
本発明は、特に人間の頭部の耳、鼻、咽喉、歯などの患部に光を照射して診察したり、治療したりするときに有効な医用照明装置を提供することを目的とするものである。
【課題を解決するための手段】
【０００８】
本発明の医用照明装置は、診察椅子１２における支頭部１３の側部に突出して光源支持部材４３を設け、この光源支持部材４３に、ＬＥＤ光源２５を有する照明灯２０を設けてなるものである。
前記照明灯２０は、容器２３の底部に放熱板２４を設け、この放熱板２４にＬＥＤ光源２５を搭載し、前記容器２３の収納部２２にハウジング２１を嵌め込み、このハウジング２１の発光面に拡散板２７を設け、前記容器２３は、熱伝導性を有する底の浅い円形容器であって、前記ハウジング２１は、シリコーンゴムからなり、このハウジング２１を前記容器２３に固定的に取り付ける。
【０００９】
診察椅子１２における支頭部１３の側部から突出する光源支持部材４３は、前記支頭部１３の側部から一体に設け、この光源支持部材４３に照明灯２０を埋設してなるものとすることができる。
また、光源支持部材４３の一端部が前記支頭部１３の背部に軸４２により回動可能に連結され、前記支頭部１３の側部から突出する前記光源支持部材４３の他端部に、照明灯２０を取り付けてなるものとすることができる。
【００１０】
さらに、前記照明灯２０は、固定した光線指向性を有するように形成するものに限定されず、前記ハウジング２１は、中空の球状体で、底部にＬＥＤ光源２５を搭載し、底部と反対側の開口端にレンズ３５を取り付け、容器２３は、内面が球面受け座３３をなし、この球面受け座３３にハウジング２１の摺動面３４を全方向に回動自在に嵌合して、光線指向性を可変できるようにすることができる。
【発明の効果】
【００１１】
請求項１記載の発明によれば、診察椅子における支頭部の側部に突出して光源支持部材を設け、この光源支持部材に、ＬＥＤ光源を有する照明灯を設けたので、ＬＥＤ光源が患者の両耳の近くにあり、光線の向きを調整する必要がないこと、患者が立ち上がるときに光源に頭部をぶつける恐れがないこと、医師が両手で行う治療や診察に支障をきたさないこと、光源がＬＥＤであるため、患者，医師がＬＥＤの発熱により熱くならないこと、光源装置が小型になり、安価であること、光量不足にならないこと、リード線が診察椅子の内部に収納でき、医師の作業に邪魔にならないこと、電池の容量不足や電池切れなどはないこと等、優れた効果を有する。
【００１２】
請求項２記載の発明によれば、照明灯は、容器の底部に放熱板を設け、この放熱板にＬＥＤ光源を搭載し、前記容器の収納部にハウジングを嵌め込み、このハウジングの発光面に拡散板を設け、前記容器は、熱伝導性を有する底の浅い円形容器であって、前記ハウジングは、シリコーンゴムからなり、このハウジングを前記容器に固定的に取り付けたので、ＬＥＤ光源の発熱を確実に放熱でき、また、拡散板でＬＥＤ光源の光線によるまぶしさを防止できる。また、容器は、熱伝導性を有する底の浅い円形容器であって、ハウジングは、シリコーンゴムからなり、このハウジングを前記容器に固定的に取り付けたので、患者や医師に傷を付けるような事がない。
【００１３】
請求項３記載の発明によれば、診察椅子における支頭部の側部から突出する光源支持部材は、一端部が前記支頭部の背部に軸により回動可能に連結され、前記支頭部の側部から突出する前記光源支持部材の他端部に、照明灯を取り付けたので、照明灯が１個だけで患者の頭部の全周囲どの位置でも光を照射することができる。また、照明灯の位置調整が軸を支点とする回転だけであり、操作が容易である。
【００１４】
請求項４記載の発明によれば、光源支持部材は、第１アームと第２アームとが相互に遊嵌した伸縮自在の中空筒体からなるので、照明灯の位置を支頭部の側部から広い範囲で設定できる。
【００１５】
請求項５記載の発明によれば、光源支持部材と照明灯の連結部をピンで回動自在に連結したので、照明灯からの光線の向きを前後方向にも調整することができる。
【００１６】
請求項６記載の発明によれば、診察椅子の支頭部と背もたれとの間を、支頭部保持体を介して連結して、支頭部の回動と高さを調節可能にしたので、患者の背丈の違い、患部の位置等の違いに応じて、水平回転、上下位置の調節ができる。
【００１７】
請求項７記載の発明によれば、ハウジングは、中空の球状体で、底部にＬＥＤ光源を搭載し、底部と反対側の開口端にレンズを取り付け、容器は、内面が球面受け座をなし、この球面受け座にハウジングの摺動面を全方向に回動自在に嵌合したので、ＬＥＤ光源の光線がハウジングの回動で望ましい指向性が得られ、かつ、レンズにより光線が収束されて患部をより効果的に照射でき、医師の作業性を向上させることができる。
【図面の簡単な説明】
【００１８】
【図１】本発明による医用照明装置の実施例１を示すもので、診察椅子１２における光源支持部材４３を支頭部１３を一体型とした例を示す正面図である。
【図２】図１における側方から見た側面図である。
【図３】図１における上方から見た平面図である。
【図４】本発明による医用照明装置の他の実施例を示すもので、診察椅子１２における背もたれ１８と支頭部１３とを支頭部保持体３７で連結し、支頭部１３の角度や高さを調節可能とした例を示す正面図である。
【図５】本発明における照明灯２０の断面図である。
【図６】図５における拡散板２７を省いた照明灯２０の正面図である。
【図７】本発明による照明灯２０の実施例２を示す正面図である。
【図８】図７における上方から見た平面図である。
【図９】本発明による照明灯２０の実施例３を示す断面図である。
【図１０】従来の医用照明装置を示す説明図である。
【発明を実施するための形態】
【００１９】
本発明による医用照明装置は、診察椅子１２における支頭部１３の側部に突出して光源支持部材４３を設け、この光源支持部材４３に、ＬＥＤ光源２５を有する照明灯２０を設けたことを特徴とする。
【００２０】
前記照明灯２０は、容器２３の底部に放熱板２４を設け、この放熱板２４にＬＥＤ光源２５を搭載し、前記容器２３の収納部２２にハウジング２１を嵌め込み、このハウジング２１の発光面に拡散板２７を設け、前記容器２３は、熱伝導性を有する底の浅い円形容器であって、前記ハウジング２１は、シリコーンゴムからなり、このハウジング２１を前記容器２３に固定的に取り付けたことを特徴とする。
【００２１】
前記診察椅子１２における支頭部１３の側部から突出する光源支持部材４３は、一端部が前記支頭部１３の背部に軸４２により回動可能に連結され、前記支頭部１３の側部から突出する前記光源支持部材４３の他端部に、照明灯２０を取り付けたことを特徴とする。
【００２２】
前記光源支持部材は、第１アームと第２アームとが相互に遊嵌した伸縮自在の中空筒体からなることを特徴とする。
【００２３】
前記光源支持部材と照明灯の連結部をピンで回動自在に連結したことを特徴とする。
【００２４】
前記診察椅子の支頭部と背もたれとの間を、支頭部保持体を介して連結して、支頭部の回動と高さを調節可能にしたことを特徴とする。
【００２５】
前記ハウジングは、中空の球状体で、底部にＬＥＤ光源を搭載し、底部と反対側の開口端にレンズを取り付け、容器は、内面が球面受け座をなし、この球面受け座にハウジングの摺動面を全方向に回動自在に嵌合したことを特徴とする。
【実施例１】
【００２６】
本発明による医用照明装置の一実施例を図面に基づき説明する。
図１において、１２は、患者１０が腰かけて治療や診察を受けるための診察椅子で、この診察椅子１２には、背中を密着する背もたれ１８と、患者１０の頭部１４を支える支頭部１３を有している。
この支頭部１３は、図１では、背もたれ１８と一体型としている。しかし、図４に示すように、背もたれ１８と支頭部１３とを支頭部保持体３７で連結し、支頭部保持体３７を回転して支頭部１３の傾きを前後左右に変えたり、支頭部保持体３７を伸縮して支頭部１３をの高さを背丈の高さに応じて変えたりする等の位置調整ができるように取り付けられているものであってもよい。
この支頭部１３には、患者１０が頭部１４を密着したとき、患者１０の両耳の外側の側部に突出して光源支持部材４３が設けられ、本発明のＬＥＤ光源２５を有する照明灯２０が取り付けられている。
【００２７】
前記照明灯２０は、図５及び図６に示すように、熱伝導性を有する金属板等からなる丸くて底の浅い容器２３の底部中央に、放熱板２４が設けられ、この放熱板２４の略中央に取付板２６とともにＬＥＤ光源２５が取り付けられている。このＬＥＤ光源２５のリード線３１は、容器２３の通し孔３２から外部に導出されている。
前記容器２３の底部と反対側の正面の開口部には、シリコーンゴムなどの熱に強く、触っても人体に傷などを付けない柔らかな材質からなる筒状のハウジング２１が嵌め込まれている。このハウジング２１の前端部内側の内溝部２８には、光線を拡散するための摺りガラスなどの拡散板２７が嵌め込まれている。
前記光源支持部材４３の表板３０に、円形の取り付け丸孔をあけ、この丸孔に合わせて容器２３の周縁部２９を表板３０に裏側から固定する。このとき、ハウジング２１の外側の外溝部３６に表板３０の内周部分が嵌め込まれる。
【００２８】
このような構成において、耳鼻咽喉科で、患者１０の耳孔の奥、鼻孔の奥、喉の奥などの患部に光を照射して診察したり、歯科で奥歯を治療したりするとき、図２、図３に示すように、患者１０の両耳の背後から発射された光線は、医師１１の反射鏡１６で反射され、患者１０の患部を照射する。反射鏡１６は、その反射光が約２５ｃｍ先の患部に収束するように構成されている。
図４に示すように、支頭部１３と背もたれ１８を支頭部保持体３７で連結したものでは、患部の照射位置によっては、支頭部保持体３７を回転して支頭部１３と一体の光源支持部材４３の傾きを変えたり、背丈に応じて支頭部保持体３７を伸縮して頭部１４の高さに応じて変えたりする等の位置調整をする。
拡散板２７は、ＬＥＤ光源２５の光がまぶしくなく、光線が一様に発射する様に設けているが、ある一定の範囲で平行光線とするために、拡散板２７とともに、又は、単体でレンズ３５を配置してもよい。
ＬＥＤ光源２５から発生した熱は、放熱板２４を介して容器２３で放射される。
【実施例２】
【００２９】
実施例１では、照明灯２０は、診察椅子１２の枕に相当する支頭部１３と一体の光源支持部材４３に設けたがこれに限られるものではなく、支頭部１３の背部に、アームの先端に照明灯２０を有する光源支持部材４３を回動自在に設けてもよい。さらに詳細には、診察椅子１２における支頭部１３に相当する部分の背後に、取付板４０を取り付け、この取付板４０に対して鉛直に突出して軸４２を設け、この軸４２に座金４１を介して光源支持部材４３の一方端部を回動自在に取り付ける。この光源支持部材４３の他端部には、第１アーム４４ａが進退自在に嵌合している。この第１アーム４４ａに進退自在に第２アーム４４ｂを嵌合し、この第２アーム４４ｂの先端部に、ピン４５によって回動自在に取付板４６を取り付け、この取付板４６に前記照明灯２０が正面に向けて取り付けられる。
【００３０】
以上のような構成において、光源支持部材４３の端部の軸４２を中心として照明灯２０が回動して位置を変えることができる。例えば、正面から見て０度の位置（Ａ１）から３０度の位置（Ｂ）、６０度の位置（Ｃ）、９０度の位置（Ｄ）、１２０度の位置（Ｅ）、１５０度の位置（Ｆ）、１８０度の位置（Ｇ）に３０度間隔で回動できる。この角度は、３０度より大きな角度であってもよいし、小さな角度で連続的に変えるようにしてもよい。また、光源支持部材４３と取付板４６の連結するピン４５で照明灯２０を前後に回動して光の向きを調整する。
前記光源支持部材４３が第１アーム４４ａと第２アーム４４ｂとで伸縮自在に設けられているときには、図７の位置（Ａ２）まで伸ばすこともできる。その他の位置でも同様に伸縮位置を変えることができる。
【実施例３】
【００３１】
実施例１では、光源支持部材４３に取り付けられた照明灯２０からの光線の指向は、光源支持部材４３の向きに対して固定的であったが、使用目的に応じて全方向に変えるようにすることができる。
図９において、照明灯２０は、ハウジング２１と容器２３を含み、前記ハウジング２１は、内部に収納部２２を有する球状の中空体で、熱伝導性のある底部３８に放熱板２４を取り付け、この放熱板２４に取付板２６を介してＬＥＤ光源２５を搭載する。このハウジング２１の開口部には、レンズ保持リング３９を介して平行光線を得るためのレンズ３５が嵌められている。また、ハウジング２１の摺動面３４は、容器２３の球面受け座３３に点Ｏを中心として全方向に回転自在に嵌合している。このようにして構成された照明灯２０は、光源支持部材４３の表板３０に周縁部２９で取り付けられる。
なお、ハウジング２１において、光源支持部材４３の表板３０から突出する部分は、人体に傷を付けるような事がないように軟質材で被覆することが望ましい。
【００３２】
図９のように構成された照明灯２０において、図２又は図３のようにして治療や診察を行うとき、ＬＥＤ光源２５の光線がハウジング２１の回動で望ましい指向性が得られ、かつ、レンズ３５により光線が収束されて患部をより効果的に照射できる。
【符号の説明】
【００３３】
１０…患者、１１…医師、１２…診察椅子、１３…支頭部、１４…頭部、１５…額帯、１６…反射鏡、１７…光源、１８…背もたれ、１９…のぞき孔、２０…照明灯、２１…ハウジング、２２…収納部、２３…容器、２４…放熱板、２５…ＬＥＤ光源、２６…取付板、２７…拡散板、２８…内溝部、２９…周縁部、３０…表板、３１…リード線、３２…通し孔、３３…球面受け座、３４…摺動面、３５…レンズ、３６…外溝部、３７…支頭部保持体、３８…底部、３９…レンズ保持リング、４０…取付板、４１…座金、４２…軸、４３…光源支持部材、４４ａ…第１アーム、４４ｂ…第２アーム、４５…ピン、４６…取付板。
【図１】
2015041483.tif 000003
【図２】
2015041483.tif 000004
【図３】
2015041483.tif 000005
【図４】
2015041483.tif 000006
【図５】
2015041483.tif 000007
【図６】
2015041483.tif 000008
【図７】
2015041483.tif 000009
【図８】
2015041483.tif 000010
【図９】
2015041483.tif 000011
【図１０】
2015041483.tif 000012